(57)【特許請求の範囲】
【請求項１】
使用認証を経た後、映像記録装置を介して記録された映像データを格納する映像格納部、
ホストコンピュータまたはＰＣを前記映像格納部と接続し、前記映像データを読み出す読み出し部、
前記映像格納部の情報が入力されて使用を認証し、前記映像データの再生および編集を行う制御部、および
前記映像データを別途に格納して管理する格納サーバを含み、
前記格納サーバは、ユーザの設定に応じて前記映像データが格納される期間を変更することができ、ユーザの設定した格納期間を過ぎた前記映像データは永久削除され、
前記映像格納部は、ＳＤカード、メモリスティック、ｘＤピクチャーカード、ＭＭＣカード、ＣＦカードのうちの少なくとも一つであり、
前記制御部は、前記映像格納部の使用を認証する際、前記映像データの編集の承認のためのパスワードを設定し、前記映像データを編集するたびに設定した前記パスワードによる認証を行い、
前記制御部は、前記映像格納部のパーティションを時刻、日付、曜日、事件、イベントのうちの少なくとも一つに設定することができ、
前記パスワードによる認証がなされない場合に、映像格納部の映像データは再生できるが格納サーバの映像データは再生できない、ことを特徴とするメモリカードに格納される映像データの管理システム。
【発明の詳細な説明】
【技術分野】
【０００１】
本発明は、メモリカードに格納される映像データの管理システム及び方法に係り、より詳細には、メモリカードに格納される映像データをリーダーを利用して、ＰＣ、ホストコンピュータ、携帯端末などに接続して映像データを再生することができるが、設定されたパスワードを入力しなければ、映像の編集を遮断して、映像データの損傷を保護し、情報の漏洩を防止することができるメモリカードに格納される映像データの管理システムに関する。
【背景技術】
【０００２】
一般的には、窃盗、暴行、交通事故などが多く発生する社会の中で、現代人は事故を予防することができるだけでなく、事故が発生したときに便利で迅速な証拠を残すことができる、映像記録装置が結合されたスマートフォン、ＣＣＴＶ、ブラックボックスなどのデジタル機器を多く使用している。
【０００３】
このような映像記録装置が結合されたデジタル機器から記録された映像データは、デジタル機器の内部に挿入されたメモリカードに格納され、メモリカードリーダーなどを利用して、ＰＣ、携帯端末などで再生することになる。
【０００４】
しかし、映像データのアクセス時、別途の遮断なしに不特定多数の人が映像データを編集したり、削除したりして映像データを破損させる恐れがある。
【０００５】
また、道路、路地などで発生する大部分の事件の重要な証拠であるＣＣＴＶ、ブラックボックスなどを介して記録された映像データへのアクセスが容易であって、削除されたり、編集されたりして、証拠として使用できないという問題点もある。
【先行技術文献】
【特許文献】
【０００６】
【特許文献１】韓国公開特許第１０−２００７−００１５８５３号公報
【特許文献２】韓国公開特許第１０−２００１−００４８１７３号公報
【発明の概要】
【発明が解決しようとする課題】
【０００７】
本発明は、上記従来技術の問題点に鑑みてなされたものであって、本発明の目的は、設定されたパスワードを入力しなければ、メモリカードに格納された映像データの編集および削除を行うことができない映像データの管理システムおよび方法を提供することによって、メモリカードに格納される映像データをリーダーを利用して、ＰＣ、ホストコンピュータ、携帯端末等に接続して、映像データを再生することは可能であるが、設定されたパスワードを入力しなければ、映像の編集を遮断して、映像データの損傷を保護し、情報の漏洩を防止することができる、メモリカードに格納される映像データの管理システムを提供することにある。
【０００８】
本発明の他の目的は、本発明の特徴を介して理解することができ、本発明の実施形態を通じてより明確に分かり、特許請求の範囲に示された手段と組み合わせによって実現可能である。
【課題を解決するための手段】
【０００９】
上記本発明が解決しようとする課題を達成するために、本発明は、下記技術的特徴を有する。
【００１０】
本発明に係るメモリカードに格納される映像データの管理システムは、使用認証を経た後、映像記録装置を介して記録された映像データを格納する映像格納部と、ホストコンピュータまたはＰＣを、前記映像格納部と接続し、前記映像データを読み出す読み出し部と、前記映像格納部の情報が入力されて使用を認証して、前記映像データの再生および編集を行う制御部とを含む。
【００１１】
本発明に係るメモリカードに格納される映像データの管理システムにおいて、前記ＳＤカードに格納される映像データ管理システムは、格納サーバをさらに含み、前記映像データを別途に前記格納サーバに格納して管理する技術的特徴を有する。
【００１２】
本発明に係るメモリカードに格納される映像データの管理システムにおいて、前記格納サーバは、ユーザの設定に応じて、前記映像データが格納される期間を変更することができる技術的特徴を有する。
【００１３】
本発明に係るメモリカードに格納される映像データの管理システムにおいて、前記映像格納部は、ＳＤカード、メモリスティック、ｘＤピクチャーカード、ＭＭＣカード、ＣＦカードのうちの少なくとも一つの技術的特徴を有する。
【００１４】
本発明に係るメモリカードに格納される映像データの管理システムにおいて、前記制御部は、前記映像格納部の使用を認証する際、前記映像データの編集の承認のためのパスワードを設定して、前記映像データの編集ごとに設定したパスワードを入力する技術的特徴を有する。
【００１５】
本発明に係るメモリカードに格納される映像データの管理システムにおいて、前記制御部は、前記映像格納部のパーティション（ｐａｒｔｉｔｉｏｎ）を時刻、日付、曜日、事件、イベントのうちの少なくとも一つに設定する技術的特徴を有する。
【発明の効果】
【００１６】
本発明は、上記課題の解決手段を通じて、設定されたパスワードを入力しなければ、メモリカードに格納された映像データの編集および削除を行うことができない映像データ管理システムおよび方法を提供することによって、メモリカードに格納される映像データをリーダーを利用して、ＰＣ、ホストコンピュータ、携帯端末等に接続して、映像データを再生することができるが、設定されたパスワードを入力しなければ、映像の編集を遮断して、映像データの損傷を保護し、情報の漏洩を防止する効果を有する。
【００１７】
本発明の他の効果は、本発明の特徴を通じて理解することができ、本発明の実施形態を通じて、より明確に分かり、特許請求の範囲に示された手段と組み合わせによって発揮することができる。
【図面の簡単な説明】
【００１８】
【図１】本発明に係るメモリカードに格納される映像データの管理システムのフローチャートである。
【図２】図１に係る一実施形態を示す図である。
【発明を実施するための形態】
【００１９】
以下、本発明が属する技術分野で通常の知識を有する者が本発明を容易に実施することができる程度に詳細に説明するために、本発明の好適な実施形態を添付した図面を参照して詳細に説明する。また、本発明を説明することにおいて、同じ部分は同じ符号を付し、その繰り返しの説明は省略する。
【００２０】
上述の一般的な説明と下記の詳細な説明は例示的であり、請求された発明の付加的な説明が提供されていると考慮されるべきである。参照符号が本発明の望ましい実施形態に詳細表示されており、それの例が参照図面に表示されている。同一の参照番号は同じまたは類似の部分を参照するために説明と図面に使用されている。
【００２１】
本発明は、他の実施形態を使用して実現又は適用可能である。さらに、詳細な説明は、本発明の範囲、技術的思想及び他の目的からかなり逸脱せず、視点及びアプリケーションに応じて変更及び修正が可能である。
【００２２】
図１は、本発明に係るメモリカードに格納される映像データの管理システムのフローチャートであり、図２は図１に係る一実施形態を示す図である。
【００２３】
本発明に係るメモリカードに格納される映像データの管理システム１００は、図１と図２に示すように、映像格納部１１０と、読み出し部１２０と、制御部１３０とを含んでいる。
【００２４】
メモリカードに格納される映像データの管理システム１００は、映像データを別途に格納する格納サーバ１４０をさらに含み、映像データを別途の格納サーバ１４０に格納して管理する。
【００２５】
ユーザの設定に応じて、格納サーバ１４０に映像データを格納するか否かを決定することになる。
【００２６】
格納するか否かに応じて、制御部１３０と接続された映像格納部１１０のコピーされた映像データを格納サーバ１４０にアップロードして、格納サーバ１４０にアップロードされた映像データは、別途の承認なしに編集および削除が不可するだけでなく、映像データを受信して再生することが不可能である。
【００２７】
また、格納サーバ１４０に格納される映像データの格納の期間は、ユーザが設定することができ、設定された期間が経過すると、映像データは永久に削除される。
【００２８】
映像格納部１１０は、使用の認証を経た後、映像記録装置を介して記録された映像データを格納する。
【００２９】
映像格納部１１０は、使用が認証されていない場合は、映像記録装置を介して記録された映像データの格納が制限され得る。
【００３０】
映像格納部１１０は、ＳＤカード、メモリスティック、ｘＤピクチャーカード、ＭＭＣカード、ＣＦカードのうちの少なくとも一つである。
【００３１】
メモリカードは、種類に応じて、容量別速度別に分けられ、ＳＤ（Ｓｅｃｕｒｅ  Ｄｉｇｉｔａｌ）カードは、既存のＭＭＣとカードの形状は似ているが、データ転送速度を高速化して、著作権保護規格を加えたものである。
【００３２】
ＳＤＨＣ（ＳＤ  Ｈｉｇｈ  Ｃａｐａｃｉｔｙ）は、ＳＤかードの短所を補完したメモリカードとして、大容量を格納することができる特徴がある。
【００３３】
近来では、ＳＤＨＣの短所を補完したＳＤＸＣは、ｅｘＦＡＴファイルシステムを支援しており、格納可能な容量と転送速度がさらに速くなった。
【００３４】
メモリスティック（Ｍｅｍｏｒｙ  Ｓｔｉｃｋ）は、‘ＭＳ’とも言い、サイバーショットデジタルカメラ、バイオノートパソコン、ＰＳＰゲーム機などをはじめとするソニー製機器に主に使用されている。
【００３５】
ｘＤピクチャー（Ｅｘｔｒｅｍｅ  Ｄｉｇｉｔａｌ  Ｐｉｃｔｕｒｅ）カードは、デジタルカメラに使用される目的として作られ、データの転送速度に応じて、基本形の‘タイプＭ’に基づいて、これより１.５倍高速化した‘タイプＭ＋’、３倍高速化した‘タイプＨ’の３種類に区分される。
【００３６】
ＭＭＣカードは、マルチメディアカード（Ｍｕｌｔｉ  Ｍｅｄｉａ  Ｃａｒｄ）の略語であり、初期のデジタルカメラやＰＤＡなどに多く使用されていた。
【００３７】
ＳＤカードとサイズおよび使用方法が同じなので、ＳＤカードスロットを備えた機器には、ＭＭＣも互換する場合が多い。
【００３８】
ＣＦカードは、コンパクトフラッシュ（登録商標）（Ｃｏｍｐａｃｔ  Ｆｌａｓｈ：ＣＦ）カードの略語であり、カードの内部にコントローラ（制御器）を含んでいるため、メーカーの能力に応じて、大容量、高性能の製品を生産するのが容易であり、相対的に機器ごとに互換性の問題の発生の頻度が低い。
【００３９】
読み出し部１２０は、ホストコンピュータまたはＰＣを映像格納部１１０と接続し、映像データを読み出す。
【００４０】
読み出し部１２０は、メモリカードリーダーであり、メモリカードリーダー（Ｍｅｍｏｒｙ  Ｃａｒｄ  Ｒｅａｄｅｒ）は、各種メモリカードを挿入してＰＣにデータを転送したり、ＰＣのデータをメモリーカードに記録したりするときに使われている。データの読み出しと書き込みの両方が可能なため、正確にはリーダー/ライター（ｒｅａｄｅｒ／ｗｒｉｔｅｒ）というのが正しいが、便宜上「リーダー」という。
【００４１】
制御部１３０は、映像格納部１１０の情報が入力されて使用を認証して、映像データを再生し、編集する。
【００４２】
制御部１３０は、ハードウェアの映像格納部１１０を制御するプログラムであるファームウェア（ｆｉｒｍｗａｒｅ）として、映像格納部１１０に格納された映像データを編集して、削除するなどの制御が可能である。
【００４３】
映像格納部１１０を読み出し部１２０に挿入して制御部１３０と接続されれば、制御部１３０は、ユーザのＩＤ、パスワードなどの情報を要求するようになり、ユーザの情報が入力されれば、映像格納部１１０の一面にある固有番号などの情報を要求することになる。
【００４４】
要求された映像格納部１１０の情報を入力すれば、ユーザと映像格納部１１０の情報が制御部に格納されて、映像格納部１１０の映像データを編集したり、再生させるなどの管理と、格納サーバ１４０に映像データをコピーして格納するなどの映像データの紛失および破損による対策が可能になる。
【００４５】
制御部１３０は、映像格納部１１０の使用を認証する際、映像データの編集の承認のためのパスワードを設定して、映像データを編集するたびに、設定したパスワードを入力する。
【００４６】
制御部１３０は、編集の承認のためのパスワードなしに映像データを再生することができる。
【００４７】
映像データの再生は可能であるが、マウスで映像データを右クリックするか、映像データを強制的に映像格納部１１０から取り出す行為をする時、動作に制限を受け、編集の承認のためのパスワードを入力するように警告とパスワードの入力画面が画面に表示される。
【００４８】
制御部１３０に映像格納部１１０と、ユーザの情報を格納した後、映像データを編集する際、映像データの編集の権限を持つための編集承認用パスワードを設定するようになり、この段階を完了すると、映像格納部１１０を映像記録装置に挿入して映像データを格納することができる。
【００４９】
たとえば、ユーザ情報の入力、映像格納部１１０の情報の入力、編集承認のためのパスワードの設定のうちの少なくとも一つの段階を完了しない場合に、映像データを映像格納部１１０に格納する際、格納の制限を受けるすることができる。
【００５０】
制御部１３０は、映像格納部１１０のパーティション（ｐａｒｔｉｔｉｏ）を時刻、日付、曜日、事件、イベントのうちの少なくとも一つに設定する。
【００５１】
一般的なＣＣＴＶで記録した映像データは、時間を基準に映像データのパーティションが分かれ、ブラックボックスの場合には、イベント、またはユーザが強制的に映像記録した時間の間の映像データが格納される。
【００５２】
しかし、制御部１３０からユーザの選択に応じて、時刻、日付、曜日、事件、イベントのうちの少なくとも一つを設定すれば、映像格納部１１０は、その基準に合ったパーティションが分かれて映像データが格納されて、編集および再生の時、必要な映像データを探しやすい。
【００５３】
以上では、本発明を好適な実施形態に基づいて説明したが、本発明の技術的思想はこれに限定されず、請求項に記載された範囲内での変形や変更実施が可能であることは、本発明が属する技術分野で通常の知識を有する者に明らかであり、そのような変形や変更は、添付された特許請求の範囲に属する。
【符号の説明】
【００５４】
１００    メモリカードに格納される映像データの管理システム
１１０    映像格納部
１２０    読み出し部
１３０    制御部
１０      ＰＣ、ホストコンピュータ
【図１】
0006365902.tif 000002
【図２】
0006365902.tif 000003